(57)【要約】【課題】タッチ入力時の誤動作の発生を防止したタッチパネル付き表示装置を得ること。【解決手段】入力位置座標のＸ軸方向成分を検出する第１及び第２のＸ軸方向用タッチ入力位置検出部１、５と、入力位置座標のＹ軸方向成分を検出する第１及び第２のＹ軸方向用タッチ入力位置検出部２、６と、予め設定された第１及び第２の閾値を記憶するフラッシュＲＯＭ４と、第１及び第２のＸ軸方向用タッチ入力位置検出部１、５が検出した入力位置座標のＸ軸方向成分の差分がフラッシュＲＯＭ４に記憶されている第１の閾値以下であり、かつ、第１及び第２のＹ軸方向用タッチ入力位置検出部２、６が検出した入力位置座標のＹ軸方向成分の差分が、フラッシュＲＯＭ４に記憶されている第２の閾値以下である場合のタッチ入力操作のみを有効とする制御部３とを有する。【選択図】図１
2012173958.tif 000002
【特許請求の範囲】
【請求項１】
タッチパネルを備え、該タッチパネル上においてタッチ入力操作がなされた入力位置座標を検出し、該入力位置座標にタッチスイッチが存在する場合には、該タッチスイッチの機能を実行するタッチパネル付き表示装置であって、
前記入力位置座標のＸ軸方向成分を検出する第１及び第２のＸ軸方向用タッチ入力位置検出手段と、
前記入力位置座標のＹ軸方向成分を検出する第１及び第２のＹ軸方向用タッチ入力位置検出手段と、
予め設定された第１及び第２の閾値を記憶する記憶手段と、
前記第１及び第２のＸ軸方向用タッチ入力位置検出手段が検出した前記入力位置座標のＸ軸方向成分の差分が前記記憶手段に記憶されている前記第１の閾値以下であり、かつ、前記第１及び第２のＹ軸方向用タッチ入力位置検出手段が検出した前記入力位置座標のＹ軸方向成分の差分が、前記記憶手段に記憶されている前記第２の閾値以下である場合のタッチ入力操作のみを有効とする制御手段とを有することを特徴とするタッチパネル付き表示装置。
【請求項２】
前記記憶手段は、前記第１及び第２の閾値を書き換え可能に記憶することを特徴とする請求項１に記載のタッチパネル付き表示装置。
【請求項３】
前記制御手段が前記タッチ入力操作を有効した場合に、前記第１のＸ軸方向用タッチ入力位置検出手段及び前記第１のＹ軸方向用タッチ入力位置検出手段によってＸ軸方向成分及びＹ軸方向成分が検出された前記入力位置座標に存在する前記タッチスイッチの機能を実行することを特徴とする請求項１又は２に記載のタッチパネル付き表示装置。
【発明の詳細な説明】
【技術分野】
【０００１】
本発明は、マトリクス抵抗膜式やアナログ抵抗膜式のタッチパネルへのタッチ入力時の誤動作を防止したタッチパネル付き表示装置に関する。
【背景技術】
【０００２】
従来のタッチパネル付き表示装置は、タッチ入力時のタッチ入力位置座標を検出するためにＸ軸方向用のタッチ入力位置検出部とＹ軸方向用タッチ位置検出部とを一組備えている。このように構成されたタッチパネル付き表示装置は、タッチ入力時にはＸ軸方向用タッチ入力位置検出部が検出したタッチ入力位置Ｘ座標とＹ軸方向用タッチ位置検出部が検出したタッチ入力位置Ｙ座標とに基づいて、そのＸＹ座標にタッチスイッチの機能が存在するか否かをチェックし、タッチスイッチ機能が存在する場合には、該当するタッチスイッチ機能に定義されている処理を実行する。
【０００３】
ところで、タッチパネル付き表示装置においては、タッチ入力時にタッチ入力がなされた位置とは異なる位置の座標をタッチ入力座標として誤検出することがある。例えば、アナログ抵抗膜方式のタッチパネルを具備する表示装置では、抵抗の経年劣化や温度変化が原因となりタッチ入力時にタッチ操作がなされた位置とは異なる位置の座標をタッチ入力位置座標として検出することがある。
【０００４】
また、タッチ入力がなされた位置とは異なる位置が故障などによってタッチ入力状態になっていた場合も同様に、タッチ入力位置座標が誤検出される。
【０００５】
これらの誤検出時において誤検出したタッチ入力位置座標に何らかの処理の実行を定義されたタッチスイッチ機能が存在した場合、該当するタッチスイッチ機能の処理が実行されてしまう。すなわち、タッチ入力時に所望した処理とは異なる処理が実行されてしまうことがあった。
【０００６】
特許文献１には、タッチ入力位置検出部を複数備えたタッチパネル付き表示装置が開示されている。特許文献１に開示される発明は、タッチ入力の有無を複数のタッチパネルで検出することにより、タッチパネルの誤動作を防止する。
【先行技術文献】
【特許文献】
【０００７】
【特許文献１】特開平１０−２５４５３０号公報
【発明の概要】
【発明が解決しようとする課題】
【０００８】
しかしながら、上記特許文献１に開示される発明は、タッチ入力の有無についての正誤判断を行うものの、タッチ入力位置の正誤判断は行わない。すなわち、タッチ入力位置の正誤判断に複数のタッチ入力位置検出部からの同一軸方向のタッチ入力位置座標の差異を用いていない。このため、タッチ入力がなされた位置とは異なる位置の座標をタッチ入力位置座標として誤検出した場合には、タッチスイッチ機能に定義されている処理が実行され、誤動作が発生する可能性があった。
【０００９】
本発明は、上記に鑑みてなされたものであって、タッチ入力時の誤動作の発生を防止したタッチパネル付き表示装置を得ることを目的とする。
【課題を解決するための手段】
【００１０】
上述した課題を解決し、目的を達成するために、本発明は、タッチパネルを備え、タッチパネル上においてタッチ入力操作がなされた入力位置座標を検出し、入力位置座標にタッチスイッチが存在する場合には、タッチスイッチの機能を実行するタッチパネル付き表示装置であって、入力位置座標のＸ軸方向成分を検出する第１及び第２のＸ軸方向用タッチ入力位置検出手段と、入力位置座標のＹ軸方向成分を検出する第１及び第２のＹ軸方向用タッチ入力位置検出手段と、予め設定された第１及び第２の閾値を記憶する記憶手段と、第１及び第２のＸ軸方向用タッチ入力位置検出手段が検出した入力位置座標のＸ軸方向成分の差分が記憶手段に記憶されている第１の閾値以下であり、かつ、第１及び第２のＹ軸方向用タッチ入力位置検出手段が検出した入力位置座標のＹ軸方向成分の差分が、記憶手段に記憶されている第２の閾値以下である場合のタッチ入力操作のみを有効とする制御手段とを有することを特徴とする。
【発明の効果】
【００１１】
本発明によれば、タッチ入力時の誤動作の発生を防止できるという効果を奏する。
【図面の簡単な説明】
【００１２】
【図１】図１は、本発明にかかるタッチパネル付き表示装置の実施の形態の構成を示す図である。
【図２】図２は、本発明にかかるタッチパネル付き表示装置の実施の形態の構成を示す図である。
【図３】図３は、本実施の形態にかかるタッチパネル付き表示装置のタッチ入力位置正誤判断処理手順を示すフローチャートである。
【発明を実施するための形態】
【００１３】
以下に、本発明にかかるタッチパネル付き表示装置の実施の形態を図面に基づいて詳細に説明する。なお、この実施の形態によりこの発明が限定されるものではない。
【００１４】
実施の形態．
図１、図２は、本発明にかかるタッチパネル付き表示装置の実施の形態の構成を示す図である。本実施の形態にかかるタッチパネル付き表示装置は、第１のＸ軸方向用タッチ入力位置検出部１、第１のＹ軸方向用タッチ入力位置検出部２、制御部３、フラッシュＲＯＭ４、第２のＸ軸方向用タッチ入力位置検出部５、及び第２のＹ軸方向用タッチ入力位置検出部６を有する。
【００１５】
タッチ入力時には、図２に示すように第１のＸ軸方向用タッチ入力位置検出部１がタッチ入力位置Ｘ座標Ｘ１を検出し、第２のＸ軸方向用タッチ入力位置検出部５がタッチ入力位置Ｘ座標Ｘ２を検出する。すなわち、第１、第２のＸ軸方向用タッチ入力位置検出部１、５は、タッチ入力位置の座標のＸ軸方向成分を検出する。
【００１６】
同様に、第１のＹ軸方向用タッチ入力位置検出部２がタッチ入力位置Ｙ座標Ｙ１を検出し、第２のＹ軸方向用タッチ入力位置検出部６がタッチ入力位置Ｙ座標Ｙ２を検出する。すなわち、第１、第２のＹ軸方向用タッチ入力位置検出部２、６は、タッチ入力位置の座標のＹ軸方向成分を検出する。
【００１７】
これらの座標は、制御部３に入力される。制御部３は、フラッシュＲＯＭ４に格納されているソフトウェアを実行することにより、各タッチ入力位置検出部から入力された座標を同一軸方向ごとに照合し、その差が許容範囲内に収まっていた場合のタッチ入力のみを有効とする。なお、許容範囲は、タッチパネル付き表示装置が備えるフラッシュＲＯＭ４内にその他のデータと共に格納されており、任意の値に変更可能である。また、許容範囲はＸ軸方向とＹ軸方向とで異なる値であって良いし、同じ値であっても良い。
【００１８】
図３は、本実施の形態にかかるタッチパネル付き表示装置のタッチ入力位置正誤判断処理手順を示すフローチャートである。
【００１９】
タッチパネルへの入力があった場合（ステップＳ１／Ｙｅｓ）、第１のＸ軸方向用タッチ入力位置検出部１がタッチ入力位置座標のＸ軸方向成分（Ｘ座標）Ｘ１を検出し（ステップＳ２）、第２のＸ軸方向用タッチ入力位置検出部５がタッチ入力位置座標のＸ軸方向成分Ｘ２を検出する（ステップＳ３）。タッチパネルへの入力が無かった場合（ステップＳ１／Ｎｏ）、ステップＳ１に戻り、タッチパネルへの入力を待つ。
【００２０】
同様に、第１のＹ軸方向用タッチ入力位置検出部２がタッチ入力位置座標のＹ軸方向成分（Ｙ座標）Ｙ１を検出し（ステップＳ４）、第２のＹ軸方向用タッチ入力位置検出部６がタッチ入力位置座標のＹ軸方向成分Ｙ２を検出する（ステップＳ５）。
【００２１】
次に、制御部３において、タッチ入力位置座標を同一軸方向の成分ごとに照合して差分を検出する。Ｘ軸方向成分の差分は｜Ｘ１−Ｘ２｜として算出し（ステップＳ６）、Ｙ軸方向成分の差分は｜Ｙ１−Ｙ２｜として算出する（ステップＳ７）。
【００２２】
制御部３は、算出した｜Ｘ１−Ｘ２｜とフラッシュＲＯＭ４に格納されている許容範囲（第１の閾値）とを比較し（ステップＳ８）、｜Ｘ１−Ｘ２｜が許容範囲以内（第１の閾値以下）であれば（ステップＳ８／Ｙｅｓ）、ステップＳ９に進む。｜Ｘ１−Ｘ２｜が許容範囲よりも大きい場合は（ステップＳ８／Ｎｏ）、タッチ入力操作を無効として処理する（ステップＳ１２）。
【００２３】
制御部３は、算出した｜Ｙ１−Ｙ２｜とフラッシュＲＯＭ４に格納されている許容範囲（第２の閾値）とを比較し（ステップＳ９）、｜Ｙ１−Ｙ２｜が許容範囲以内（第２の閾値以下）であれば（ステップＳ９／Ｙｅｓ）、（Ｘ１，Ｙ１）で示されるＸＹ座標に有効なタッチスイッチ機能が存在しているか否かを確認する（ステップＳ１０）。｜Ｙ１−Ｙ２｜が許容範囲よりも大きい場合は（ステップＳ９／Ｎｏ）、タッチ入力操作を無効として処理する（ステップＳ１２）。その後、ステップＳ１へ戻り、タッチパネルへの次の入力を待つ。
【００２４】
座標（Ｘ１，Ｙ１）に有効なタッチスイッチ機能が存在している場合は（ステップＳ１０／Ｙｅｓ）、該当するタッチスイッチ機能を実行する（ステップＳ１１）。座標（Ｘ１，Ｙ１）に有効なタッチスイッチ機能が存在しない場合は（ステップＳ１０／Ｎｏ）、タッチ入力操作を無効として処理する（ステップＳ１２）。その後、ステップＳ１へ戻り、タッチパネルへの次の入力を待つ。
【００２５】
このように、本実施の形態にかかるタッチパネル付き表示装置は、Ｘ軸方向用とＹ軸方向用とのタッチ入力位置検出部を２個ずつ備え、タッチ入力時に２個のタッチ入力位置検出部で個々に検出したタッチ入力座標の同一軸方向成分を照合し、その差異が許容範囲内に収まっている場合のタッチ入力のみを有効とすることで、タッチ入力時の誤操作を防止できる。
【符号の説明】
【００２６】
１  第１のＸ軸方向用タッチ入力位置検出部
２  第１のＹ軸方向用タッチ入力位置検出部
３  制御部
４  フラッシュＲＯＭ
５  第２のＸ軸方向用タッチ入力位置検出部
６  第２のＹ軸方向用タッチ入力位置検出部
【図１】
2012173958.tif 000003
【図２】
2012173958.tif 000004
【図３】
2012173958.tif 000005